(57)【特許請求の範囲】
【請求項１】
車室（１３）を囲むフレームが、車体前後方向に配置される左右一対のサイドシル（１４）と、車幅方向に配置されるダッシュボードロアクロスメンバ（２２）と、車幅方向に配置されるミドルクロスメンバ（２４）と、前記サイドシル（１４）の前端および前記ダッシュボードロアクロスメンバ（２２）の左右両端を斜めに接続する一対のアウトリガー（３０ｂ）と、前記サイドシル（１４）の後端および前記ミドルクロスメンバ（２４）の左右両端を斜めに接続する一対のガセット（３８）とで八角形に構成され、
エンジンルーム（１１）の左右両側に車体前後方向に配置されるフロントサイドフレーム（１２）と、車室（１３）の車幅方向中央部に車体前後方向に配置されるセンターフレーム（２９）と、前記フロントサイドフレーム（１２）の後端、前記サイドシル（１４）の前端および前記センターフレーム（２９）の前端を連結する連結部材（３０）とを備えた車体フレーム構造であって、
前記連結部材（３０）は、前記フロントサイドフレーム（１２）の後端から車両幅方向外側に向かって斜め後方に延びて前記サイドシル（１４）の前端に連なるアウトリガー（３０ｂ）と、前記フロントサイドフレーム（１２）の後端から車両幅方向内側に向かって斜め後方に延びて前記センターフレーム（２９）の前端に連なるセンターフレームエクステンション（３０ｃ）と、左右一対の縦フレーム（３２）を前後一対の横フレーム（３３，３４）で四角枠状に接続して構成されたフロントサブフレーム（３１）の後端を前記センターフレームエクステンション（３０ｃ）の前端に取り付けるフロントサブフレーム取付部（３０ａ）とを備えることを特徴とする車体フレーム構造。
【請求項２】
前記連結部材（３０）の前記アウトリガー（３０ｂ）、前記センターフレームエクステンション（３０ｃ）および前記フロントサブフレーム取付部（３０ａ）を連続する一部材で形成したことを特徴とする、請求項１に記載の車体フレーム構造。
【発明の詳細な説明】
【技術分野】
【０００１】
本発明は、エンジンルームの左右両側に車体前後方向に配置されるフロントサイドフレームと、車室の左右両側に車体前後方向に配置されるサイドシルと、車室の車幅方向中央部に車体前後方向に配置されるセンターフレームと、前記フロントサイドフレームの後端、前記サイドシルの前端および前記センターフレームの前端を連結する連結部材とを備えた車体フレーム構造に関する。
【背景技術】
【０００２】
エンジンルームに配置したフロントサイドフレームの後端および車室の側部に配置したサイドシルの前端を、車幅方向に延びるアウトリガーで接続したフレーム構造（従来例）と、エンジンルームに配置したフロントサイドフレームの後端および車室の中央部に配置したフロアフレームの前端を、車幅方向に延びるアウトリガーで接続したフレーム構造（第１、第２実施例）とが、下記特許文献１により公知である。
【特許文献１】特許第３１３７８８１号公報
【発明の開示】
【発明が解決しようとする課題】
【０００３】
ところで上記従来のものは、アウトリガーが車幅方向に配置されているので、フロントサイドフレームに入力された荷重でアウトリガーが容易に変形してしまい、フロントサイドフレームに入力された前記前記荷重を効率的にサイドシルあるいはフロアフレームに伝達して吸収することができない可能性があった。
【０００４】
本発明は前述の事情に鑑みてなされたもので、フロントサイドフレームに入力された衝突荷重をサイドシルおよびセンターフレームに効率的に伝達して吸収することを目的とする。
【課題を解決するための手段】
【０００５】
上記目的を達成するために、請求項１に記載された発明によれば、車室を囲むフレームが、車体前後方向に配置される左右一対のサイドシルと、車幅方向に配置されるダッシュボードロアクロスメンバと、車幅方向に配置されるミドルクロスメンバと、前記サイドシルの前端および前記ダッシュボードロアクロスメンバの左右両端を斜めに接続する一対のアウトリガーと、前記サイドシルの後端および前記ミドルクロスメンバの左右両端を斜めに接続する一対のガセットとで八角形に構成され、エンジンルームの左右両側に車体前後方向に配置されるフロントサイドフレームと、車室の車幅方向中央部に車体前後方向に配置されるセンターフレームと、前記フロントサイドフレームの後端、前記サイドシルの前端および前記センターフレームの前端を連結する連結部材とを備えた車体フレーム構造であって、前記連結部材は、前記フロントサイドフレームの後端から車両幅方向外側に向かって斜め後方に延びて前記サイドシルの前端に連なるアウトリガーと、前記フロントサイドフレームの後端から車両幅方向内側に向かって斜め後方に延びて前記センターフレームの前端に連なるセンターフレームエクステンションと、左右一対の縦フレームを前後一対の横フレームで四角枠状に接続して構成されたフロントサブフレームの後端を前記センターフレームエクステンションの前端に取り付けるフロントサブフレーム取付部とを備えることを特徴とする車体フレーム構造が提案される。
【０００６】
また請求項２に記載された発明によれば、請求項１の構成に加えて、前記連結部材の前記アウトリガー、前記センターフレームエクステンションおよび前記フロントサブフレーム取付部を連続する一部材で形成したことを特徴とする車体フレーム構造が提案される。
【発明の効果】
【０００７】
請求項１の構成によれば、車室を囲むフレームを、左右一対のサイドシルと、ダッシュボードロアクロスメンバと、ミドルクロスメンバと、サイドシルの前端およびダッシュボードロアクロスメンバの左右両端を斜めに接続する一対のアウトリガーと、サイドシルの後端およびミドルクロスメンバの左右両端を斜めに接続する一対のガセットとで八角形に構成したので、四角形のフレームに比べて剛性が増加して車室の変形が効果的に抑制される。何故ならば、外力に対して最も変形し難い形状は円形であり、八角形は四角形よりも円形に近いからである。この八角形のフレーム構造は、正面衝突時だでけでなく、サイドシル側から荷重が入力する側面衝突時にも車室の変形を最小限に抑えることができる。
【０００８】
またエンジンルームに車体前後方向に配置されるフロントサイドフレームの後端と、サイドシルの前端と、車室の中央部に車体前後方向に配置されるセンターフレームの前端とを連結する連結部材が、フロントサイドフレームの後端から車両幅方向外側に向かって斜め後方に延びてサイドシルの前端に連なるアウトリガーと、フロントサイドフレームの後端から車両幅方向内側に向かって斜め後方に延びてセンターフレームの前端に連なるセンターフレームエクステンションとを備えているので、車両の衝突時にフロントサイドフレームに入力された後向きの衝突荷重を、連結部材のアウトリガーおよびセンターフレームエクステンションを介してサイドシルおよびセンターフレームエクステンションに分散し、衝突荷重による車室の変形を最小限に抑えることができる。このとき、連結部材のアウトリガーおよびセンターフレームエクステンションは車幅方向に対して傾斜しているので、それ自身が変形することなく衝突荷重を効率的にサイドシルおよびセンターフレームエクステンションに伝達することができる。
【０００９】
しかも連結部材のセンターフレームエクステンションの前端に、左右一対の縦フレームを前後一対の横フレームで四角枠状に接続して構成されたフロントサブフレームの後端を取り付けるフロントサブフレーム取付部を設けたので、車両の前面衝突時に前方からフロントサブフレームに荷重が入力したとき、サイドシルおよびセンターフレームに接続された連結部材からフロントサブフレームに反力を作用させ、そのフロントサブフレームを確実に圧壊させて衝突荷重を吸収することができる。
【００１０】
また請求項２の構成によれば、連結部材のアウトリガー、センターフレームエクステンションおよびフロントサブフレーム取付部を連続する一部材で形成したので、それらを別部材で構成して結合する場合に比べて、強度が向上して荷重の確実な伝達が可能になるだけでなく、部品点数を削減してコストを削減することができる。
【発明を実施するための最良の形態】
【００１１】
以下、本発明の実施の形態を添付図面に基づいて説明する。
【００１２】
図１〜図７は本発明の実施の形態を示すもので、図１は自動車の車体フレームを下面から見た図、図２は図１の２方向矢視図、図３は図１の３部拡大図、図４は図３の４−４線断面図、図５は図１に保護エリアおよびエネルギー吸収エリアの形状を書き加えた図、図６は正面・後面衝突時および側面衝突時の荷重伝達経路を示す図、図７は正面衝突時のフロントサブフレームの変形を説明する図である。
【００１３】
図１および図２に示すように、自動車の車体フレームは、エンジンルーム１１の左右両側部に沿って車体前後方向に延びる左右一対のフロントサイドフレーム１２，１２と、車室１３の左右両側部に沿って車体前後方向に延びる左右一対のサイドシル１４，１４と、燃料タンク収納部１５およびトランクルーム１６の左右両側部に沿って車体前後方向に延びる左右一対のリヤサイドフレーム１７，１７と、フロントサイドフレーム１２，１２の前端から後上方に延び、左右のサイドシル１４，１４の前端から立ち上がる左右一対のフロントピラーロア１８，１８の上端に連結される左右一対のアッパーメンバ１９，１９と、車幅方向に延びてフロントサイドフレーム１２，１２の前端にフロントサイドフレームエクステンション２０…を介して両端が接続されたフロントバンパービーム２１と、車幅方向に延びて左右のフロントサイドフレーム１２，１２の後端間を接続するダッシュボードロアクロスメンバ２２と、車幅方向に延びて左右のサイドシル１４，１４の前後方向中間部間を接続するフロントクロスメンバ２３と、車幅方向に延びて左右のリヤサイドフレーム１７，１７の前端間を接続するミドルクロスメンバ２４と、車幅方向に延びて左右のリヤサイドフレーム１７，１７の前後方向中間部間を接続するリヤクロスメンバ２５と、車幅方向に延びて左右のリヤサイドフレーム１７，１７の後端間を接続するリヤバンパービーム２６と、幅方向に延びてリヤクロスメンバ２５およびリヤバンパービーム２６間で左右のリヤサイドフレーム１７，１７を接続するリヤエンドフレーム２７と、ダッシュボードロアクロスメンバ２２からミドルクロスメンバ２４へと延びるフロアトンネル２８の左右両側に沿って延びる左右一対のセンターフレーム２９，２９と、フロントサイドフレーム１２，１２、サイドシル１４，１４およびセンターフレーム２９，２９を連結する左右一対の連結部材３０，３０と、左右のフロントサイドフレーム１２，１２の下部に支持されるフロントサブフレーム３１とを備える。
【００１４】
フロントサブフレーム３１は、左右一対の縦フレーム３２，３２を前後一対の横フレーム３３，３４で四角枠状に接続して構成され、縦フレーム３２，３２の前端がゴムブッシュジョイント３５，３５を介してフロントサイドフレーム１２，１２の前端下面に弾性支持されるとともに、縦フレーム３２，３２の後端がゴムブッシュジョイント３６，３６を介して連結部材３０，３０の下面に弾性支持される。
【００１５】
次に、図１〜図４を参照して連結部材３０，３０の構造を説明する。左右の連結部材３０，３０は鏡面対称な形状を有するため、その一方について説明する。
【００１６】
図１に網掛けして示す連結部材３０は、金属パネルをプレス成形した単一の部材で構成されるもので、前端に下向きにカップ状に突出するフロントサブフレーム取付部３０ａを備え、フロントサブフレーム取付部３０ａから車幅方向外側かつ後方に向かってアウトリガー３０ｂが斜めに延びるとともに、フロントサブフレーム取付部３０ａから車幅方向内側かつ後方に向かってセンターフレームエクステンション３０ｃが斜めに延びている。
【００１７】
連結部材３０のフロントサブフレーム取付部３０ａに隣接するセンターフレームエクステンション３０ｃの車幅方向内面にダッシュボードロアクロスメンバ２２の左右両端部が接続されるとともに、そこから斜め後方に延びるセンターフレームエクステンション３０ｃの後端がセンターフレーム２９の前端に接続される。また連結部材３０のアウトリガー３０ｂの前端がフロントサイドフレーム１２の後端に接続され、後端がサイドシル１４の前端に接続される。
【００１８】
連結部材３０のフロントサブフレーム取付部３０ａの内部には前記ゴムブッシュジョイント３６が収納され、それを貫通するボルト３７にフロントサブフレーム３１の後部が支持される（図４参照）。尚、フロントサブフレーム３１の前部も、同様の構造のゴムブッシュジョイント３５（図１参照）を介してフロントサイドフレーム１２の下面に支持される。
【００１９】
図１および図５を併せて参照すると明らかなように、第１の保護領域である車室１３を囲むフレームは、平面視で八角形状に構成される。即ち、車体前後方向に延びる左右のサイドシル１４，１４と、車幅方向に延びるダッシュボードロアクロスメンバ２２およびミドルクロスメンバ２４と、サイドシル１４，１４の前端およびダッシュボードロアクロスメンバ２２の左右両端を斜めに接続する左右のアウトリガー３０ｂ，３０ｂと、サイドシル１４，１４の後端およびミドルクロスメンバ２４の左右両端を斜めに接続する左右のガセット３８，３８とが、図５に太線Ａで示すように全体として八角形を構成する。
【００２０】
また第２の保護領域である燃料タンク収納部１５を囲むフレームは、平面視で八角形状に構成される。即ち、車体前後方向に延びる左右のリヤサイドフレーム１７，１７と、車幅方向に延びるミドルクロスメンバ２４およびリヤクロスメンバ２５と、リヤサイドフレーム１７，１７の前端およびミドルクロスメンバ２４の左右両端を斜めに接続する左右のガセット３９，３９と、リヤサイドフレーム１７，１７に接続されるリヤクロスメンバ２５の左右両端を斜め前方に拡幅した拡幅部２５ａ，２５ａとが、図５に太線Ｂで示すように全体として八角形を構成する。
【００２１】
また車室１３の前方に配置されて第１のエネルギー吸収領域を構成するエンジンルーム１１を囲むフレームは、平面視で概ねＵ字状に形成される。即ち、フロントバンパービーム２１は車体前方側に凸に湾曲しているため、そのフロントバンパービーム２１と、その車幅方向両端から車体後方に延びるフロントサイドフレーム１２，１２およびアッパーメンバ１９，１９とは、図５に太線Ｃで示すように全体としてＵ字状を構成する。
【００２２】
また燃料タンク収納部１５の後方に配置されて第２のエネルギー吸収領域を構成するトランクルーム１６を囲むフレームは、平面視で概ねＵ字状に形成される。即ち、リヤエンドフレーム２７は車体後方側に凸に湾曲しているため、そのリヤエンドフレーム２７と、その車幅方向両端から車体前方に延びるリヤサイドフレーム１７，１７とは、図５に太線Ｄで示すように全体としてＵ字状を構成する。
【００２３】
次に、上記構成を備えた本発明の実施の形態の作用を説明する。
【００２４】
図５および図６から明らかなように、車体前方側に凸に湾曲するフロントバンパービーム２１と、その車幅方向両端から車体後方に延びるフロントサイドフレーム１２，１２およびアッパーメンバ１９，１９とは全体としてＵ字状を成すので、車両の衝突により車体前方から入力する衝突荷重に対して高い剛性を持ち、それが圧壊する際に大きな衝撃吸収効果を発揮することで、車室１３の変形を最小限に抑えることができる。
【００２５】
また車室１３を囲むサイドシル１４，１４と、ダッシュボードロアクロスメンバ２２およびミドルクロスメンバ２４と、サイドシル１４，１４の前端およびダッシュボードロアクロスメンバ２２の左右両端を斜めに接続する左右のアウトリガー３０ｂ，３０ｂと、サイドシル１４，１４の後端およびミドルクロスメンバ２４の左右両端を斜めに接続する左右のガセット３８，３８とが八角形のフレームを構成するので、四角形のフレームに比べて剛性が増加して車室１３の変形が更に効果的に抑制される。何故ならば、外力に対して最も変形し難い形状は円形であり、八角形は四角形よりも円形に近いからである。この八角形のフレーム構造は、正面衝突時だでけでなく、サイドシル１４，１４側から荷重が入力する側面衝突時にも車室１３の変形を最小限に抑えることができる。
【００２６】
同様に、車体後方側に凸に湾曲するリヤエンドフレーム２７と、その車幅方向両端から車体前方に延びるリヤサイドフレーム１７，１７とは全体としてＵ字状を成すので、車両の衝突により車体後方から入力する衝突荷重に対して高い剛性を持ち、それが圧壊する際に大きな衝撃吸収効果を発揮することで、燃料タンク収納部１５の変形を最小限に抑え、燃料タンクの損傷を防止することができる。
【００２７】
また燃料タンク収納部１５を囲むリヤサイドフレーム１７，１７と、車幅方向に延びるミドルクロスメンバ２４およびリヤクロスメンバ２５と、リヤサイドフレーム１７，１７の前端およびミドルクロスメンバ２４の左右両端を斜めに接続する左右のガセット３９，３９と、リヤサイドフレーム１７，１７に接続されるリヤクロスメンバ２５左右両端を斜め前方に拡幅した拡幅部２５ａ，２５ａとが八角形のフレームを構成するので、四角形のフレームに比べて剛性が増加して燃料タンク収納部１５の変形が更に効果的に抑制される。この八角形のフレーム構造は、後面衝突時だでけでなく、リヤサイドフレーム１７，１７側から荷重が入力する側面衝突時にも燃料タンク収納部１５の変形を最小限に抑えることができる。
【００２８】
車両の正面衝突時にフロントサイドフレーム１２に後向きの荷重が作用すると、図３に示すように、その荷重は連結部材３０を介してサイドシル１４およびセンタフレーム２９に伝達されて分散される。このとき、連結部材３０のアウトリガー３０ｂは車幅方向外側に向かって斜め後方に延びているため、それが車幅方向に真っ直ぐ延びている場合に比べて、フロントサイドフレーム１２からの荷重を効率的にサイドシル１４に伝達することができる。また連結部材３０のセンターフレームエクステンション３０ｃは車幅方向内側に向かって斜め後方に延びているため、それが車幅方向に真っ直ぐ延びている場合に比べて、フロントサイドフレーム１２からの荷重を効率的にセンターフレーム２９に伝達することができる。
【００２９】
しかも連結部材３０は、フロントサブフレーム取付部３０ａ、アウトリガー３０ｂおよびセンターフレームエクステンション３０ｃよりなる単一の部材で構成されるので、それらを別部材で構成して一体に結合する場合に比べて部品点数を削減することができるだけでなく、連結部材３０の強度も増加する。尚、連結部材３０の強度が必要な部分にブランクを重ね合わせて補強することも可能である。
【００３０】
また連結部材３０のセンターフレームエクステンション３０ｃの前端にフロントサブフレーム取付部３０ａを設けたので、正面衝突時に連結部材３０側からフロントサブフレーム３１に反力を作用させ、図７に示すように、フロントサブフレーム３１を折り曲げて衝突エネルギーを吸収しながら、車室１３の変形を抑制することができる。
【００３１】
更に、フロントサブフレーム３１の後方には左右の前席が配置されるが、それら前席に着座した乗員の脚部の下方に対応する位置が強度の高い連結部材３０，３０で補強されているので、正面衝突の衝撃から乗員の脚部を保護することができる。
【００３２】
以上、本発明の実施の形態を説明したが、本発明はその要旨を逸脱しない範囲で種々の設計変更を行うことが可能である。                                                      
【００３３】
例えば、実施の形態ではガセット３８，３９をミドルクロスメンバ２４と別部材で構成しているが、それらをミドルクロスメンバ２４の両端を拡幅することで一体に形成しても良い。
【図面の簡単な説明】
【００３４】
【図１】自動車の車体フレームを下面から見た図
【図２】図１の２方向矢視図
【図３】図１の３部拡大図
【図４】図３の４−４線断面図
【図５】図１に保護エリアおよびエネルギー吸収エリアの形状を書き加えた図
【図６】正面・後面衝突時および側面衝突時の荷重伝達経路を示す図
【図７】正面衝突時のフロントサブフレームの変形を説明する図
【符号の説明】
【００３５】
１１        エンジンルーム
１２        フロントサイドフレーム
１３        車室
１４        サイドシル
２２ ダッシュボードロアクロスメンバ
２４ ミドルクロスメンバ
２９        センターフレーム
３０        連結部材
３０ａ      フロントサブフレーム取付部
３０ｂ      アウトリガー
３０ｃ      センターフレームエクステンション
３１        フロントサブフレーム
３２ 縦フレーム
３３ 横フレーム
３４ 横フレーム
３８ ガセット
【図１】
0004875559.tif 000002
【図２】
0004875559.tif 000003
【図３】
0004875559.tif 000004
【図４】
0004875559.tif 000005
【図５】
0004875559.tif 000006
【図６】
0004875559.tif 000007
【図７】
0004875559.tif 000008